(57)【要約】【課題】擬似ランダム波を用いた場合であっても、振動板の変位量（振幅）が装置の駆動限界を超えないようにすることができる、物理探査方法及び物理探査装置を提供する。【解決手段】本発明の一実施形態に係る物理探査方法は、擬似ランダム波Ｗｒを発震可能な加速度信号Ａｒを生成する加速度信号生成ステップＳｔｅｐ１１と、加速度信号Ａｒから擬似ランダム波Ｗｒの振幅信号Ｓｒを算出する振幅信号算出ステップＳｔｅｐ１２と、振幅信号Ｓｒから所定の低周波成分を遮断して修正振幅信号Ｓｃを生成する修正振幅信号生成ステップＳｔｅｐ１３と、修正振幅信号Ｓｃが音源の駆動限界を超えているか否か確認する限界確認ステップＳｔｅｐ１４と、修正振幅信号Ｓｃから修正加速度信号Ａｃを生成する修正加速度信号生成ステップＳｔｅｐ１５と、を含んでいる。【選択図】図１
2019184248.tif 000002
【特許請求の範囲】
【請求項１】
擬似ランダム波を発震して物理探査を行う物理探査方法であって、
所定の低周波成分を遮断した修正加速度信号を生成する信号生成ステップと、
前記修正加速度信号に基づいて修正擬似ランダム波を発震する発震ステップと、
を含むことを特徴とする物理探査方法。
【請求項２】
前記信号生成ステップは、擬似ランダム波を発震可能な加速度信号を生成する加速度信号生成ステップと、前記加速度信号から前記擬似ランダム波の振幅信号を算出する振幅信号算出ステップと、前記振幅信号から所定の低周波成分を遮断して修正振幅信号を生成する修正振幅信号生成ステップと、前記修正振幅信号から前記修正加速度信号を生成する修正加速度信号生成ステップと、を含む請求項１に記載の物理探査方法。
【請求項３】
前記信号生成ステップは、前記修正振幅信号が音源の駆動限界を超えているか否か確認する限界確認ステップを含み、前記修正振幅信号が音源の駆動限界を超えていない場合は前記修正加速度信号生成ステップに進み、前記修正振幅信号が音源の駆動限界を超えている場合は前記加速度信号生成ステップ又は前記修正振幅信号生成ステップに戻るように設定されている、請求項２に記載の物理探査方法。
【請求項４】
前記所定の低周波成分は、周波数が２０Ｈｚ以下の成分である、請求項１に記載の物理探査方法。
【請求項５】
前記所定の低周波成分は、遮断量が０〜１００％まで変化する領域を含む、請求項１に記載の物理探査方法。
【請求項６】
少なくとも一つの振動板と、該振動板を駆動させる駆動手段と、該駆動手段に駆動信号を発信する制御装置と、を備え、
前記制御装置は、所定の低周波成分を遮断した修正加速度信号を前記駆動信号として前記駆動手段に発信するように構成されている、
ことを特徴とする音源。
【請求項７】
前記制御装置は、擬似ランダム波を発震可能な加速度信号を生成する信号生成器と、前記加速度信号から前記擬似ランダム波の振幅信号を算出する演算器と、前記振幅信号から所定の低周波成分を遮断して修正振幅信号を生成するハイパスフィルタと、を含み、前記演算器は、前記修正振幅信号から前記修正加速度信号を生成するように構成されている、請求項６に記載の音源。
【請求項８】
前記制御装置は、前記修正振幅信号が前記振動板の駆動限界を超えている場合に、前記信号生成器により新たな加速度信号を生成する、又は、前記ハイパスフィルタの条件を変更するように構成されている、請求項７に記載の音源。
【請求項９】
前記所定の低周波成分は、周波数が２０Ｈｚ以下の成分である、請求項６に記載の音源。
【請求項１０】
前記所定の低周波成分は、遮断量が０〜１００％まで変化する領域を含む、請求項６に記載の音源。
【発明の詳細な説明】
【技術分野】
【０００１】
本発明は、物理探査方法及び音源に関し、特に、水中又は地中に擬似ランダム波を発震して地形・資源等を探査するための物理探査方法及び音源に関する。
【背景技術】
【０００２】
大陸棚や深海底には豊富な資源（例えば、石油、天然ガス、メタンハイドレート、多金属団塊、マンガン・クラスト、海底熱水鉱床等）が存在しており、近年の資源価格の高騰により海洋資源開発の必要性が高まっている。また、陸上における天然資源は、一定の地域に偏在しており、国内産出量が少ない資源については、外国からの輸入に頼らざるを得ず、地政学的リスクが少なくない。そして、四方を海に囲まれた我が国においては、安定した資源供給のためにも、海洋地域が資源開発の新たなフロンティアとして注目されている。
【０００３】
ところで、擬似ランダム波（二進数の擬似ランダム数列を波の位相差で表現したもの）は発震信号と受振信号との間で高い相関が取れるため、水中音響通信分野で使用されている。同じ理由から物理探査分野でも擬似ランダム波の適用可能性が検討・研究されている（例えば、特許文献１参照）。
【０００４】
特許文献１には、コード配列が互いに異なる擬似ランダムコード信号を用いて、複数の発震器から複数の擬似ランダム波を同時に発震・受振し、解析を行なうことで、個々の発震器の信号だけを分離することを特徴とする擬似ランダム波を用いた多重発震による非破壊計測方法が開示されている。
【先行技術文献】
【特許文献】
【０００５】
【特許文献１】特開２００４−１６３３２２号公報
【発明の概要】
【発明が解決しようとする課題】
【０００６】
ところで、物理探査時に使用する音波がスウィープ波（一定の速度で変化する周波数を有する音波）である場合には、正の位相（上に凸な信号）と負の位相（下に凸な信号）とが交互に繰り返されることから、音波を発震する振動板（音源）の振動は必ず往復運動を繰り返すこととなる。
【０００７】
それに対して、物理探査時に使用する音波が擬似ランダム波である場合には、正の位相（上に凸な信号）と負の位相（下に凸な信号）とがランダムに配列されることから、正の位相（上に凸な信号）が継続して繰り返されたり、負の位相（下に凸な信号）が継続して繰り返されたりすることがある。このように同じ位相が継続して繰り返された場合には、振動板の変位量（振幅）が装置の駆動限界を超えてしまい、一時的に音波を発震することができない状態に陥ることとなる。
【０００８】
したがって、振動板の変位量（振幅）が装置の駆動限界を超えた場合には、音波の音圧レベルが低下してしまう、発震した音波の波形が予定していた擬似ランダム波と異なってしまい相互相関がとれなくなってしまう等の問題を生じる。
【０００９】
本発明はかかる問題点に鑑み創案されたものであり、擬似ランダム波を用いた場合であっても、振動板の変位量（振幅）が装置の駆動限界を超えないようにすることができる、物理探査方法及び音源を提供することを目的とする。
【課題を解決するための手段】
【００１０】
本発明によれば、擬似ランダム波を発震して物理探査を行う物理探査方法であって、所定の低周波成分を遮断した修正加速度信号を生成する信号生成ステップと、前記修正加速度信号に基づいて修正擬似ランダム波を発震する発震ステップと、を含むことを特徴とする物理探査方法が提供される。
【００１１】
前記信号生成ステップは、擬似ランダム波を発震可能な加速度信号を生成する加速度信号生成ステップと、前記加速度信号から前記擬似ランダム波の振幅信号を算出する振幅信号算出ステップと、前記振幅信号から所定の低周波成分を遮断して修正振幅信号を生成する修正振幅信号生成ステップと、前記修正振幅信号から前記修正加速度信号を生成する修正加速度信号生成ステップと、を含んでいてもよい。
【００１２】
さらに、前記信号生成ステップは、前記修正振幅信号が音源の駆動限界を超えているか否か確認する限界確認ステップを含み、前記修正振幅信号が音源の駆動限界を超えていない場合は前記修正加速度信号生成ステップに進み、前記修正振幅信号が音源の駆動限界を超えている場合は前記加速度信号生成ステップ又は前記修正振幅信号生成ステップに戻るように設定されていてもよい。
【００１３】
また、前記所定の低周波成分は、周波数が２０Ｈｚ以下の成分であってもよい。
【００１４】
また、前記所定の低周波成分は、遮断量が０〜１００％まで変化する領域を含んでいてもよい。
【００１５】
また、本発明によれば、少なくとも一つの振動板と、該振動板を駆動させる駆動手段と、該駆動手段に駆動信号を発信する制御装置と、を備え、前記制御装置は、所定の低周波成分を遮断した修正加速度信号を前記駆動信号として前記駆動手段に発信するように構成されている、ことを特徴とする音源が提供される。
【００１６】
前記制御装置は、擬似ランダム波を発震可能な加速度信号を生成する信号生成器と、前記加速度信号から前記擬似ランダム波の振幅信号を算出する演算器と、前記振幅信号から所定の低周波成分を遮断して修正振幅信号を生成するハイパスフィルタと、を備え、前記演算器は、前記修正振幅信号から前記修正加速度信号を生成するように構成されていてもよい。
【００１７】
さらに、前記制御装置は、前記修正振幅信号が前記振動板の駆動限界を超えている場合に、前記信号生成器により新たな加速度信号を生成する、又は、前記ハイパスフィルタの条件を変更するように構成されていてもよい。
【００１８】
また、前記所定の低周波成分は、周波数が２０Ｈｚ以下の成分であってもよい。
【００１９】
また、前記所定の低周波成分は、遮断量が０〜１００％まで変化する領域を含んでいてもよい。
【発明の効果】
【００２０】
上述した本発明に係る物理探査方法及び音源によれば、擬似ランダム波から所定の低周波成分を遮断した修正加速度信号を生成することによって、振動板の変位量（振幅）が大きい低周波成分の音波を除去することができ、振動板の変位量（振幅）が装置の駆動限界を超えないようにすることができる。
【図面の簡単な説明】
【００２１】
【図１】本発明の一実施形態に係る物理探査方法を示すフロー図である。
【図２】擬似ランダム波の特性を示す図であり、（ａ）はスウィープ波の振幅、（ｂ）は擬似ランダム波の振幅、を示している。
【図３】加速度信号生成ステップで生成された加速度信号の一例を示す図である。
【図４】振幅信号算出ステップで算出された振幅信号及び修正振幅信号生成ステップで生成された修正振幅信号を示す図である。
【図５】低周波成分の遮断方法を示す概念図であり、（ａ）は第一例、（ｂ）は第二例、を示している。
【図６】低周波成分の遮断前後における音圧レベルを示す図であり、（ａ）遮断前（振幅信号）、（ｂ）は遮断後（修正振幅信号）、を示している。
【図７】修正加速度信号生成ステップで生成された修正加速度信号を示す図である。
【図８】本発明の一実施形態に係る音源を示す図であり、（ａ）は第一例、（ｂ）は第二例、を示している。
【図９】本発明の一実施形態に係る音源を示す図であり、（ａ）は第三例、（ｂ）は第四例、を示している。
【発明を実施するための形態】
【００２２】
以下、本発明の実施形態について図１〜図９（ｂ）を用いて説明する。ここで、図１は、本発明の一実施形態に係る物理探査方法を示すフロー図である。図２は、擬似ランダム波の特性を示す図であり、（ａ）はスウィープ波の振幅、（ｂ）は擬似ランダム波の振幅、を示している。
【００２３】
本発明の一実施形態に係る物理探査方法は、図１に示したように、擬似ランダム波を発震して物理探査を行う物理探査方法であって、所定の低周波成分を遮断した修正加速度信号Ａｃを生成する信号生成ステップＳｔｅｐ１と、修正加速度信号Ａｃに基づいて修正擬似ランダム波Ｗｃを発震する発震ステップＳｔｅｐ２と、を含んでいる。
【００２４】
信号生成ステップＳｔｅｐ１は、例えば、擬似ランダム波Ｗｒを発震可能な加速度信号Ａｒを生成する加速度信号生成ステップＳｔｅｐ１１と、加速度信号Ａｒから擬似ランダム波Ｗｒの振幅信号Ｓｒを算出する振幅信号算出ステップＳｔｅｐ１２と、振幅信号Ｓｒから所定の低周波成分を遮断して修正振幅信号Ｓｃを生成する修正振幅信号生成ステップＳｔｅｐ１３と、修正振幅信号Ｓｃが音源の駆動限界を超えているか否か確認する限界確認ステップＳｔｅｐ１４と、修正振幅信号Ｓｃから修正加速度信号Ａｃを生成する修正加速度信号生成ステップＳｔｅｐ１５と、を含んでいる。
【００２５】
図２（ａ）の左図に示したように、物理探査時に使用する音波がスウィープ波（一定の速度で変化する周波数を有する音波）である場合には、加速度信号は、正の位相（上に凸な信号）と負の位相（下に凸な信号）とが交互に繰り返される。ここで、音波の位相を二進法で表示すれば、正の位相は「０」、負の位相は「１」と表示することができる。
【００２６】
この加速度信号を二階積分することによって、図２（ａ）の右図に示したように、振動板（音源）の振幅信号を算出することができる。スウィープ波は、正の位相（０）と負の位相（１）とを交互に繰り返すことから、音波を発震する振動板（音源）の振幅も往復運動を繰り返すこととなる。したがって、振動板の変位量（振幅）が装置の駆動限界（図の点線で示したライン）を超えることはない。
【００２７】
それに対して、物理探査時に使用する音波が擬似ランダム波である場合には、図２（ｂ）の左図に示したように、正の位相（０）と負の位相（１）とがランダムに配列されることから、正の位相（０）又は負の位相（１）が継続して繰り返される場合もある。図では、正の位相（０）が５回継続して繰り返されている場合を示している。
【００２８】
このように同じ位相が継続して繰り返された場合には、図２（ｂ）の右図に示したように、振動板の変位量（振幅）が装置の駆動限界（図の点線で示したライン）を超えてしまい、音波を発震することができない状態に陥ることとなる。その結果、音波の音圧レベルが低下したり、発震した音波の波形が予定していた擬似ランダム波と異なってしまい相互相関がとれなくなってしまったりすることとなる。
【００２９】
そこで、本願発明者は、音波の低周波成分は振幅が大きいことに着目し、擬似ランダム波から所定の低周波成分を除去すれば、擬似ランダム波の位相を保持しつつ擬似ランダム波を発震する振動板の振幅を小さくすることができるのではないかとの着想に至った。以下、図３〜図７を参照しつつ、図１に示したフロー図の詳細について説明する。
【００３０】
ここで、図３は、加速度信号生成ステップで生成された加速度信号の一例を示す図である。図４は、振幅信号算出ステップで算出された振幅信号及び修正振幅信号生成ステップで生成された修正振幅信号を示す図である。図５は、低周波成分の遮断方法を示す概念図であり、（ａ）は第一例、（ｂ）は第二例、を示している。図６は、低周波成分の遮断前後における音圧レベルを示す図であり、（ａ）遮断前（振幅信号）、（ｂ）は遮断後（修正振幅信号）、を示している。図７は、修正加速度信号生成ステップで生成された修正加速度信号を示す図である。
【００３１】
加速度信号生成ステップＳｔｅｐ１１は、図３に示したように、擬似ランダム波Ｗｒを発震可能な加速度信号Ａｒを生成するステップである。加速度信号Ａｒは、０（正の位相）と１（負の位相）の乱数列によって生成される。擬似ランダム波Ｗｒの場合、真の乱数列ではなく、ある計算によって求められた擬似的な乱数列を使用する。擬似ランダム数列は、例えば、擬似乱数列を生成するアルゴリズムを含む擬似乱数列生成器によって生成することができる。
【００３２】
振幅信号算出ステップＳｔｅｐ１２は、加速度信号Ａｒを二階積分することによって振幅信号Ｓｒを算出するステップである。図４において、太い点線で図示した振幅信号Ｓｒは、図３に示した加速度信号Ａｒに基づいて算出したものである。ここで、振動板の駆動限界を±γとすれば、図４に細い点線で図示したように駆動限界を引くことができる。通常の擬似ランダム波Ｗｒの加速度信号Ａｒから振幅信号Ｓｒを算出すると、図４に示したように、駆動限界γを超えることとなる。
【００３３】
修正振幅信号生成ステップＳｔｅｐ１３は、図４に示したように、振幅信号Ｓｒから太い実線で示した修正振幅信号Ｓｃを生成するステップである。具体的には、ハイパスフィルタを使用して振幅信号Ｓｒから所定の低周波成分を遮断して修正振幅信号Ｓｃを生成する。
【００３４】
ここで、低周波成分の遮断方法について説明する。振幅信号Ｓｒを音圧レベルで表示し直すと、図５（ａ）に示したように図示することができる。ここで、横軸は周波数（Ｈｚ）、縦軸は音圧レベル（ｄＢ）である。そして、周波数α以下の周波数帯域（図の斜線を引いた部分）を全て遮断することにより、擬似ランダム波Ｗｒの低周波成分を遮断することができる。一般に、水中で音波を発震するエアガン（圧縮空気発音方式）では、２０〜６０Ｈｚの音波が卓越していることが知られている（例えば、港湾技研資料Ｎｏ．４５６、１９８３年６月、音波探査法の現況とその実施例の検討、運輸省港湾技術研究所発行）。
【００３５】
そこで、遮断する低周波成分としてα＝２０Ｈｚと設定することにより、少なくともエアガンと同程度の周波数帯域をカバーすることができる。また、エアガンよりも探査深度を深くしたい場合には、αを２０Ｈｚより小さい数値（例えば、１５Ｈｚ、１０Ｈｚ、５Ｈｚ等）に設定してもよい。
【００３６】
また、図５（ｂ）に示したように、低周波成分の遮断量が０〜１００％まで変化する領域を含んでいてもよい。例えば、Ａ点までの低周波成分を１００％遮断し、Ａ点から徐々に遮断量を少なくしてＢ点で遮断量を０％にする。このとき、遮断量は一定の割合で少なくしてもよいし、Ａ点付近の遮断量を多くしてＢ点付近の遮断量を漸減させるようにしてもよいし、Ａ点付近の遮断量を少なくしてＢ点付近の遮断量を漸増させるようにしてもよい。
【００３７】
なお、このようにＡ点からＢ点の間で遮断量を変化させる場合には、Ｂ点の周波数を２０Ｈｚ又は２０Ｈｚ未満となるように設定してもよいが、Ａ点の周波数はＢ点の周波数よりも小さく設定する必要がある。また、Ａ点とＢ点の中間点が２０Ｈｚ又は２０Ｈｚ未満となるように設定してもよい。このとき、Ｂ点の周波数は２０Ｈｚを超えていてもよい。
【００３８】
ここで、図６（ａ）は、図４に示した振幅信号Ｓｒを音圧レベルで表示したものであり、横軸は周波数（Ｈｚ）、縦軸は音圧レベル（ｄＢ）を示している。そして、図６（ａ）に示したグラフから所定の低周波成分を遮断した音圧レベルを図６（ｂ）に示している。ここでは、５Ｈｚまでの遮断量を１００％とし、１０Ｈｚの遮断量を０％とし、５Ｈｚ付近の遮断量を多くして１０Ｈｚ付近の遮断量を漸減させるようにしている。
【００３９】
そして、図６（ｂ）に示した音圧レベルを振幅信号に表示し直すと、図４に示した修正振幅信号Ｓｃを得ることができる。
【００４０】
限界確認ステップＳｔｅｐ１４は、修正振幅信号Ｓｃが駆動限界γを超えているか否か確認するステップである。修正振幅信号Ｓｃが音源の駆動限界γを超えていない場合（Ｎｏ）は、図１に示したように、次のステップ（修正加速度信号生成ステップＳｔｅｐ１５）に進む。
【００４１】
一方、修正振幅信号Ｓｃが音源の駆動限界γを超えている場合（Ｙｅｓ）は、図１において実線で示したように、加速度信号生成ステップＳｔｅｐ１１に戻って、擬似ランダム波Ｗｒの加速度信号Ａｒの生成からやり直すようにしてもよい。また、図１において点線で示したように、修正振幅信号生成ステップＳｔｅｐ１３に戻って、低周波成分の遮断条件を変更するようにしてもよい。
【００４２】
なお、限界確認ステップＳｔｅｐ１４は、必要に応じて省略することができる。例えば、どのような擬似ランダム波Ｗｒが生成された場合であっても、音源の駆動限界γを超えないように、低周波成分の遮断条件を設定できる場合には、限界確認ステップＳｔｅｐ１４を省略することができる。
【００４３】
また、物理探査時に信号生成ステップＳｔｅｐ１を行わずに、事前に音源の駆動限界γを超えない修正振幅信号Ｓｃを生成し、その修正振幅信号Ｓｃを音源に記憶させて物理探査に使用するような場合には、限界確認ステップＳｔｅｐ１４を省略することができる。
【００４４】
修正加速度信号生成ステップＳｔｅｐ１５は、修正振幅信号Ｓｃを二階微分することによって修正加速度信号Ａｃを生成するステップである。図４に示した修正振幅信号Ｓｃから生成した修正加速度信号Ａｃを図７に示している。
【００４５】
発震ステップＳｔｅｐ２は、修正加速度信号Ａｃに基づいて振動板（音源）の変位量（振幅）を制御して修正擬似ランダム波Ｗｃを発震するステップである。この修正擬似ランダム波Ｗｃを発震することにより、振動板の変位量（振幅）が装置の駆動限界γを超えることがなく、音波を発震することができない状態に陥らないようにすることができる。したがって、音波の音圧レベルの低下を抑制することができる。また、発震した音波の波形が予定していたものと異なってしまうことがなく、発震信号と受振信号との相互相関も容易にとることができる。
【００４６】
なお、上述した信号生成ステップＳｔｅｐ１は、加速度信号生成ステップＳｔｅｐ１１〜修正加速度信号生成ステップＳｔｅｐ１５を含むものであるが、これらのステップに限定されるものではない。例えば、擬似ランダム波Ｗｒを発震可能な加速度信号Ａｒを生成する信号生成器そのものがハイパスフィルタを備えているような場合には、信号生成器から直接的に修正加速度信号Ａｃを生成することができる。
【００４７】
次に、上述した物理探査方法で使用する音源について、図８（ａ）〜図９（ｂ）を参照しつつ説明する。ここで、図８は、本発明の一実施形態に係る音源を示す図であり、（ａ）は第一例、（ｂ）は第二例、を示している。図９は、本発明の一実施形態に係る音源を示す図であり、（ａ）は第三例、（ｂ）は第四例、を示している。
【００４８】
図８（ａ）に示した第一例の音源１は、二枚の振動板１１と、各振動板１１を駆動させる駆動手段１２と、各駆動手段１２に駆動信号を発信する制御装置１３と、を備え、制御装置１３は、所定の低周波成分を遮断した修正加速度信号Ａｃを駆動信号として駆動手段１２に発信するように構成されている。
【００４９】
振動板１１は、例えば、円板形状を有しており、駆動手段１２及び制御装置１３を収容するケーシング１４の表面に弾性体１５を介して接続されている。二枚の振動板１１は、ケーシング１４の相対する面に配置されている。振動板１１の外周には弾性体１５が配置されていることから、振動板１１は配置面に対して垂直な方向に往復動可能に構成されている。
【００５０】
駆動手段１２は、例えば、往復動可能なピストンロッド１２ａを備えた液圧シリンダであり、サーボ弁１２ｂの操作によって作動可能に構成されている。ピストンロッド１２ａの先端は、振動板１１の背面に接続されている。したがって、サーボ弁１２ｂによって液圧シリンダに供給される作動流体の流量を調整することにより、ピストンロッド１２ａ及び振動板１１を往復動させることができる。
【００５１】
制御装置１３は、ピストンロッド１２ａを駆動するための駆動信号をサーボ弁１２ｂに発信するコンピュータである。制御装置１３は、擬似ランダム波Ｗｒを発震可能な加速度信号Ａｒを生成する信号生成器１３ａと、加速度信号Ａｒから擬似ランダム波Ｗｒの振幅信号Ｓｒを算出する演算器１３ｂと、振幅信号Ｓｒから所定の低周波成分を遮断して修正振幅信号Ｓｃを生成するハイパスフィルタ１３ｃと、を含んでいてもよい。また、演算器１３ｂは、修正振幅信号Ｓｃから修正加速度信号Ａｃを生成するように構成されていてもよい。かかる構成により、上述した物理探査方法を実行することができる。
【００５２】
なお、制御装置１３は、予め加速度信号Ａｒを記憶させた記憶装置を備えていてもよい。この場合、信号生成器１３ａを省略することができる。また、予め修正加速度信号Ａｃを記憶させた記憶装置を備えていてもよい。この場合、信号生成器１３ａ、演算器１３ｂ及びハイパスフィルタ１３ｃを省略することができる。
【００５３】
図８（ｂ）に示した第二例の音源１は、一枚の振動板１１と、振動板１１を駆動させる駆動手段１２と、駆動手段１２に駆動信号を発信する制御装置１３と、を備え、制御装置１３は、所定の低周波成分を遮断した修正加速度信号Ａｃを駆動信号として駆動手段１２に発信するように構成されている。第一例の音源１は、振動板１１及び駆動手段１２を含む駆動ユニットを二つ備えているのに対し、第二例の音源１は、一つの駆動ユニットを備えているものである。第二例の音源１の各構成は、上述した第一例の音源１と同様であるため、詳細な説明を省略する。
【００５４】
第一例の音源１は、例えば、発震位置を移動させながら水中で間欠的に擬似ランダム波を発震する物理探査方法に適している。また、第二例の音源１は、例えば、地面や海底に向かって擬似ランダム波を発震する物理探査方法に適している。
【００５５】
図９（ａ）に示した第三例の音源１は、第一例の音源１における駆動手段１２の構成を変更したものである。駆動手段１２は、例えば、往復動可能な駆動ロッド１２ｃと、駆動ロッド１２ｃを電磁力によって駆動させる電気コイル１２ｄと、を備えている。かかる構成によっても、電気コイル１２ｄに電流を流すことによって、図中の矢印方向の電磁力を生じさせて駆動ロッド１２ｃを往復動させることができる。
【００５６】
なお、駆動ロッド１２ｃの駆動方向を変更する場合には、電気コイル１２ｄに流す電流の向きを逆転させればよい。また、電気コイル１２ｄに流す電流の向き、大きさ、時間等の条件は制御装置１３によって制御される。
【００５７】
図９（ｂ）に示した第四例の音源１は、第二例の音源１における駆動手段１２の構成を変更したものである。かかる駆動手段１２の構成は、上述した第三例の音源１と同じ構成であるため、詳細な説明を省略する。
【００５８】
本発明は、上述した実施形態に限定されず、例えば、海洋資源の調査だけでなく、鉱山資源の調査、土木・環境調査等の種々の用途に使用することができる等、本発明の趣旨を逸脱しない範囲で種々変更が可能であることは勿論である。
【符号の説明】
【００５９】
１  音源
１１  振動板
１２  駆動手段
１２ａ  ピストンロッド
１２ｂ  サーボ弁
１２ｃ  駆動ロッド
１２ｄ  電気コイル
１３  制御装置
１３ａ  信号生成器
１３ｂ  演算器
１３ｃ  ハイパスフィルタ
１４  ケーシング
１５  弾性体
Ａｃ  修正加速度信号
Ａｒ  加速度信号
Ｓｃ  修正振幅信号
Ｓｒ  振幅信号
Ｗｃ  修正擬似ランダム波
Ｗｒ  擬似ランダム波
Ｓｔｅｐ１  信号生成ステップ
Ｓｔｅｐ１１  加速度信号生成ステップ
Ｓｔｅｐ１２  振幅信号算出ステップ
Ｓｔｅｐ１３  修正振幅信号生成ステップ
Ｓｔｅｐ１４  限界確認ステップ
Ｓｔｅｐ１５  修正加速度信号生成ステップ
Ｓｔｅｐ２  発震ステップ
【図１】
2019184248.tif 000003
【図２】
2019184248.tif 000004
【図３】
2019184248.tif 000005
【図４】
2019184248.tif 000006
【図５】
2019184248.tif 000007
【図６】
2019184248.tif 000008
【図７】
2019184248.tif 000009
【図８】
2019184248.tif 000010
【図９】
2019184248.tif 000011